(57)【要約】【課題】ユーザが試行錯誤の上で選択したヘアスタイルを確実に美容室が施術することができ、来店したユーザにポイントを付与することによりユーザの来店を促進する美容室支援システム、美容室支援方法、ユーザ端末装置、美容室端末装置、及びコンピュータプログラムを提供する。【解決手段】ユーザ端末装置は、ユーザ自身の顔を撮像し、撮像された顔の画像データを、複数のヘアスタイルに関する情報と合成して生成した合成画像を選択可能に表示する。複数の合成画像から一の合成画像の選択を受け付け、選択を受け付けた合成画像及びユーザ端末装置を識別する情報を美容室端末装置へ送信する。美容室端末装置は、選択を受け付けた合成画像を受信し、受信したユーザ端末装置を識別する情報に対応するユーザ端末装置を所持するユーザが来店した場合には、ユーザ端末装置にポイントを累積付与する。【選択図】図９
2018045358.tif 000002
【特許請求の範囲】
【請求項１】
美容室に設置されている美容室端末装置と、
ユーザが所持するユーザ端末装置とがデータ通信することが可能に接続されており、
前記ユーザ端末装置で選択を受け付けたヘアスタイルを実現できる美容室を選択することが可能な美容室支援システムにおいて、
前記美容室端末装置の設置場所に関する情報を複数の前記ユーザ端末装置で共有しておき、
前記ユーザ端末装置は、
ユーザ自身の顔を撮像する撮像手段と、
撮像された顔の画像データを、複数のヘアスタイルに関する情報と合成して合成画像を生成する合成画像生成手段と、
生成された合成画像を選択可能に表示する表示手段と、
複数の合成画像から一の合成画像の選択を受け付ける画像選択受付手段と、
選択を受け付けた合成画像及び前記ユーザ端末装置を識別する情報を前記美容室端末装置へ送信するヘアスタイル情報送信手段と
を備え、
前記美容室端末装置は、
選択を受け付けた合成画像及び前記ユーザ端末装置を識別する情報を受信するヘアスタイル情報受信手段と、
受信した前記ユーザ端末装置を識別する情報に対応するユーザ端末装置を所持するユーザが来店したか否かを判断する判断手段と、
前記ユーザ端末装置を所持するユーザが来店したと判断した場合には、前記ユーザ端末装置に所定のポイントを累積付与するポイント付与手段と
を有することを特徴とする美容室支援システム。
【請求項２】
前記美容室端末装置は、該美容室端末装置と前記ユーザ端末装置との間で前記ヘアスタイルに関する情報を同期する同期手段を備えることを特徴とする請求項１に記載の美容室支援システム。
【請求項３】
前記美容室端末装置は、
新たなヘアスタイルに関する情報の入力を受け付けるヘアスタイル情報受付手段を備え、
前記同期手段は、該美容室端末装置と前記ユーザ端末装置との間で、入力を受け付けた新たなヘアスタイルに関する情報を同期することを特徴とする請求項２に記載の美容室支援システム。
【請求項４】
前記美容室端末装置は、
選択を受け付けた合成画像の基礎となったヘアスタイルに関する情報で特定されたヘアスタイルを具現化する方法に関する情報を記憶する情報記憶手段と、
選択を受け付けた合成画像の基礎となったヘアスタイルに関する情報に対応する前記ヘアスタイルを具現化する方法に関する情報を表示する情報表示手段と
を備えることを特徴とする請求項１乃至３のいずれか一項に記載の美容室支援システム。
【請求項５】
前記ユーザ端末装置の表示手段は、複数のヘアスタイルに関する合成画像を並列に一括表示する一括表示手段を備えることを特徴とする請求項１乃至４のいずれか一項に記載の美容室支援システム。
【請求項６】
前記ユーザ端末装置は、選択を受け付けた合成画像に対応付けて、前記美容室に関する情報を検索した結果を表示する美容室情報表示手段を備えることを特徴とする請求項１乃至５のいずれか一項に記載の美容室支援システム。
【請求項７】
美容室に設置されている美容室端末装置と、
ユーザが所持するユーザ端末装置とがデータ通信することが可能に接続されており、
前記ユーザ端末装置で選択を受け付けたヘアスタイルを実現できる美容室を選択することが可能な美容室支援システムで実行することが可能な美容室支援方法において、
前記美容室端末装置の設置場所に関する情報を複数の前記ユーザ端末装置で共有しておき、
前記ユーザ端末装置は、
ユーザ自身の顔を撮像する工程と、
撮像された顔の画像データを、複数のヘアスタイルに関する情報と合成して合成画像を生成する工程と、
生成された合成画像を選択可能に表示する工程と、
複数の合成画像から一の合成画像の選択を受け付ける工程と、
選択を受け付けた合成画像及び前記ユーザ端末装置を識別する情報を前記美容室端末装置へ送信する工程と
を含み、
前記美容室端末装置は、
選択を受け付けた合成画像及び前記ユーザ端末装置を識別する情報を受信する工程と、
受信した前記ユーザ端末装置を識別する情報に対応するユーザ端末装置を所持するユーザが来店したか否かを判断する工程と、
前記ユーザ端末装置を所持するユーザが来店したと判断した場合には、前記ユーザ端末装置に所定のポイントを累積付与する工程と
を含むことを特徴とする美容室支援方法。
【請求項８】
前記美容室端末装置は、該美容室端末装置と前記ユーザ端末装置との間で前記ヘアスタイルに関する情報を同期する工程を含むことを特徴とする請求項７に記載の美容室支援方法。
【請求項９】
前記美容室端末装置は、
新たなヘアスタイルに関する情報の入力を受け付ける工程を含み、
該美容室端末装置と前記ユーザ端末装置との間で、入力を受け付けた新たなヘアスタイルに関する情報を同期することを特徴とする請求項８に記載の美容室支援方法。
【請求項１０】
前記美容室端末装置は、
選択を受け付けた合成画像の基礎となったヘアスタイルに関する情報で特定されたヘアスタイルを具現化する方法に関する情報を記憶する工程と、
選択を受け付けた合成画像の基礎となったヘアスタイルに関する情報に対応する前記ヘアスタイルを具現化する方法に関する情報を表示する工程と
を含むことを特徴とする請求項７乃至９のいずれか一項に記載の美容室支援方法。
【請求項１１】
外部とデータ通信することが可能であり、選択を受け付けたヘアスタイルを実現できる美容室を選択することが可能な、ユーザが所持するユーザ端末装置において、
前記美容室に関する情報を前記美容室に設置されている端末装置と共有しておき、
ユーザ自身の顔を撮像する撮像手段と、
撮像された顔の画像データを、複数のヘアスタイルに関する情報と合成して合成画像を生成する合成画像生成手段と、
生成された合成画像を選択可能に表示する表示手段と、
複数の合成画像から一の合成画像の選択を受け付ける画像選択受付手段と、
選択を受け付けた合成画像及び前記ユーザ端末装置を識別する情報を前記美容室に設置されている端末装置へ送信するヘアスタイル情報送信手段と
を備え、
所持するユーザが前記美容室に来店した場合には、前記美容室に設置されている端末装置から所定のポイントを受信して累積することを特徴とするユーザ端末装置。
【請求項１２】
前記表示手段は、複数のヘアスタイルに関する合成画像を並列に一括表示する一括表示手段を備えることを特徴とする請求項１１に記載のユーザ端末装置。
【請求項１３】
選択を受け付けた合成画像に対応付けて、前記美容室に関する情報を検索した結果を表示する美容室情報表示手段を備えることを特徴とする請求項１１又は１２に記載のユーザ端末装置。
【請求項１４】
外部とデータ通信可能であり、美容室に設置されている美容室端末装置において、
設置場所に関する情報を複数の外部の端末装置で共有しておき、
前記外部の端末装置で選択を受け付けた合成画像及び前記外部の端末装置を識別する情報を受信するヘアスタイル情報受信手段と、
受信した前記外部の端末装置を識別する情報に対応する外部の端末装置を所持するユーザが来店したか否かを判断する判断手段と、
前記外部の端末装置を所持するユーザが来店したと判断した場合には、前記外部の端末装置に所定のポイントを累積付与するポイント付与手段と
を有することを特徴とする美容室端末装置。
【請求項１５】
前記外部の端末装置との間でヘアスタイルに関する情報を同期する同期手段を備えることを特徴とする請求項１４に記載の美容室端末装置。
【請求項１６】
新たなヘアスタイルに関する情報の入力を受け付けるヘアスタイル情報受付手段を備え、
前記同期手段は、前記外部の端末装置との間で、入力を受け付けた新たなヘアスタイルに関する情報を同期することを特徴とする請求項１５に記載の美容室端末装置。
【請求項１７】
前記外部の端末装置で選択を受け付けた合成画像の基礎となったヘアスタイルに関する情報で特定されたヘアスタイルを具現化する方法に関する情報を記憶する情報記憶手段と、
前記外部の端末装置で選択を受け付けた合成画像の基礎となったヘアスタイルに関する情報に対応する前記ヘアスタイルを具現化する方法に関する情報を表示する情報表示手段と
を備えることを特徴とする請求項１４乃至１６のいずれか一項に記載の美容室端末装置。
【請求項１８】
ユーザ自身の顔を撮像する撮像手段と、
撮像された顔の画像データを、複数のヘアスタイルに関する情報と合成して合成画像を生成する合成画像生成手段と、
生成された合成画像を選択可能に表示する表示手段と、
複数の合成画像から一の合成画像の選択を受け付ける画像選択受付手段と
を備えることを特徴とする請求項１４乃至１７のいずれか一項に記載の美容室端末装置。
【請求項１９】
前記表示手段は、複数のヘアスタイルに関する合成画像を並列に一括表示する一括表示手段を備えることを特徴とする請求項１８に記載の美容室端末装置。
【請求項２０】
前記表示手段は、ヘアスタイルの大きさ及び縦横比を変化させて表示する表示更新手段を備えることを特徴とする請求項１８又は１９に記載の美容室端末装置。
【請求項２１】
外部とデータ通信することが可能であり、選択を受け付けたヘアスタイルを実現できる美容室を選択することが可能な、ユーザが所持するユーザ端末装置で実行することが可能なコンピュータプログラムにおいて、
前記美容室に関する情報を前記美容室に設置されている端末装置と共有しておき、
前記ユーザ端末装置を、
ユーザ自身の顔を撮像する撮像手段、
撮像された顔の画像データを、複数のヘアスタイルに関する情報と合成して合成画像を生成する合成画像生成手段、
生成された合成画像を選択可能に表示する表示手段、
複数の合成画像から一の合成画像の選択を受け付ける画像選択受付手段、及び
選択を受け付けた合成画像及び前記ユーザ端末装置を識別する情報を前記美容室に設置されている端末装置へ送信するヘアスタイル情報送信手段
として機能させ、
所持するユーザが前記美容室に来店した場合には、前記美容室に設置されている端末装置から所定のポイントを受信して累積する手段として機能させることを特徴とするコンピュータプログラム。
【請求項２２】
前記表示手段を、複数のヘアスタイルに関する合成画像を並列に一括表示する一括表示手段として機能させることを特徴とする請求項２１に記載のコンピュータプログラム。
【請求項２３】
前記ユーザ端末装置を、選択を受け付けた合成画像に対応付けて、前記美容室に関する情報を検索した結果を表示する美容室情報表示手段として機能させることを特徴とする請求項２１又は２２に記載のコンピュータプログラム。
【請求項２４】
外部とデータ通信可能であり、美容室に設置されている美容室端末装置で実行することが可能なコンピュータプログラムにおいて、
設置場所に関する情報を複数の外部の端末装置で共有しておき、
前記美容室端末装置を、
前記外部の端末装置で選択を受け付けた合成画像及び前記外部の端末装置を識別する情報を受信するヘアスタイル情報受信手段、
受信した前記外部の端末装置を識別する情報に対応する外部の端末装置を所持するユーザが来店したか否かを判断する判断手段、及び
前記外部の端末装置を所持するユーザが来店したと判断した場合には、前記外部の端末装置に所定のポイントを累積付与するポイント付与手段
として機能させることを特徴とするコンピュータプログラム。
【請求項２５】
前記美容室端末装置を、前記外部の端末装置との間でヘアスタイルに関する情報を同期する同期手段として機能させることを特徴とする請求項２４に記載のコンピュータプログラム。
【請求項２６】
前記美容室端末装置を、新たなヘアスタイルに関する情報の入力を受け付けるヘアスタイル情報受付手段として機能させ、
前記同期手段を、前記外部の端末装置との間で、入力を受け付けた新たなヘアスタイルに関する情報を同期する手段として機能させることを特徴とする請求項２５に記載のコンピュータプログラム。
【請求項２７】
前記美容室端末装置を、
前記外部の端末装置で選択を受け付けた合成画像の基礎となったヘアスタイルに関する情報で特定されたヘアスタイルを具現化する方法に関する情報を記憶する情報記憶手段、及び
前記外部の端末装置で選択を受け付けた合成画像の基礎となったヘアスタイルに関する情報に対応する前記ヘアスタイルを具現化する方法に関する情報を表示する情報表示手段
として機能させることを特徴とする請求項２４乃至２６のいずれか一項に記載のコンピュータプログラム。
【請求項２８】
前記美容室端末装置を、
ユーザ自身の顔を撮像する撮像手段、
撮像された顔の画像データを、複数のヘアスタイルに関する情報と合成して合成画像を生成する合成画像生成手段、
生成された合成画像を選択可能に表示する表示手段、及び
複数の合成画像から一の合成画像の選択を受け付ける画像選択受付手段
として機能させることを特徴とする請求項２４乃至２７のいずれか一項に記載のコンピュータプログラム。
【請求項２９】
前記表示手段を、複数のヘアスタイルに関する合成画像を並列に一括表示する一括表示手段として機能させることを特徴とする請求項２８に記載のコンピュータプログラム。
【請求項３０】
前記表示手段を、ヘアスタイルの大きさ及び縦横比を変化させて表示する表示更新手段として機能させることを特徴とする請求項２８又は２９に記載のコンピュータプログラム。
【発明の詳細な説明】
【技術分野】
【０００１】
本発明は、ユーザがシミュレーションしながら選択したヘアスタイルを実現することが可能な美容室に、該ユーザを確実に誘導することで美容室の業務を支援する美容室支援システム、美容室支援方法、ユーザ端末装置、美容室端末装置、ユーザ端末装置で実行することが可能なコンピュータプログラム、及び美容室端末装置で実行することが可能なコンピュータプログラムに関する。
【背景技術】
【０００２】
ユーザが自分に似合うヘアスタイルであるか否かを目視で確認するために、画像を用いたシミュレーションシステムが多数開発されている。例えば、特許文献１では、メイクアップやヘアスタイルをシミュレーションし、シミュレーション後の結果を並べて表示することができる美容シミュレーションシステムが開示されている。
【０００３】
また、特許文献２では、美容室へ来店したユーザの顔の画像データとヘアスタイルデータとを用いて、ユーザの顔画像と所望のヘアスタイルの画像とを合成して表示するヘアシミュレータ（シミュレーション装置）が開示されている。特許文献２では、合成画像のヘアスタイル部に対する画面上での仮想的な施術の操作に応じて、毛髪ボリュームを調整処理し、画面上で被施術者のヘアスタイルをリアルタイムに変形させることができる。
【先行技術文献】
【特許文献】
【０００４】
【特許文献１】特開２０１３−１７８７８９号公報
【特許文献２】特開２０１１−０２２９３９号公報
【発明の概要】
【発明が解決しようとする課題】
【０００５】
しかし、ユーザは、シミュレーションをすることができても、実際に美容室においてシミュレーションしたヘアスタイルに施術してもらうことは困難である。どの美容室ならシミュレーションしたヘアスタイルに施術を行うことが可能なのか、ユーザにはわからないし、美容室の店名だけがわかったとしても、現在位置から近いのか遠いのかもわからないからである。
【０００６】
また、美容室もすべてのヘアスタイルについて施術方法を理解しているわけではない。したがって、基本的な施術方法が美容室間で共有されている環境があれば、美容室の機会損失を大きく減少させることができる。
【０００７】
さらに、シミュレーションしたヘアスタイルから選択して来店したユーザに対して、値引き以外のサービスを提供することにより、美容室は収益を損なうことなく、ユーザがヘアスタイルを選択する大きな動機付けとなる。
【０００８】
本発明は上記事情に鑑みてなされたものであり、ユーザが試行錯誤の上で選択したヘアスタイルを確実に美容室が施術することができ、来店したユーザにポイントを付与することによりユーザの来店を促進することができる美容室支援システム、美容室支援方法、ユーザ端末装置、美容室端末装置、ユーザ端末装置で実行することが可能なコンピュータプログラム、及び美容室端末装置で実行することが可能なコンピュータプログラムを提供することを目的とする。
【課題を解決するための手段】
【０００９】
上記目的を達成するために第１発明に係る美容室支援システムは、美容室に設置されている美容室端末装置と、ユーザが所持するユーザ端末装置とがデータ通信することが可能に接続されており、前記ユーザ端末装置で選択を受け付けたヘアスタイルを実現できる美容室を選択することが可能な美容室支援システムにおいて、前記美容室端末装置の設置場所に関する情報を複数の前記ユーザ端末装置で共有しておき、前記ユーザ端末装置は、ユーザ自身の顔を撮像する撮像手段と、撮像された顔の画像データを、複数のヘアスタイルに関する情報と合成して合成画像を生成する合成画像生成手段と、生成された合成画像を選択可能に表示する表示手段と、複数の合成画像から一の合成画像の選択を受け付ける画像選択受付手段と、選択を受け付けた合成画像及び前記ユーザ端末装置を識別する情報を前記美容室端末装置へ送信するヘアスタイル情報送信手段とを備え、前記美容室端末装置は、選択を受け付けた合成画像及び前記ユーザ端末装置を識別する情報を受信するヘアスタイル情報受信手段と、受信した前記ユーザ端末装置を識別する情報に対応するユーザ端末装置を所持するユーザが来店したか否かを判断する判断手段と、前記ユーザ端末装置を所持するユーザが来店したと判断した場合には、前記ユーザ端末装置に所定のポイントを累積付与するポイント付与手段とを有することを特徴とする。
【００１０】
また、第２発明に係る美容室支援システムは、第１発明において、前記美容室端末装置は、該美容室端末装置と前記ユーザ端末装置との間で前記ヘアスタイルに関する情報を同期する同期手段を備えることが好ましい。
【００１１】
また、第３発明に係る美容室支援システムは、第２発明において、前記美容室端末装置は、新たなヘアスタイルに関する情報の入力を受け付けるヘアスタイル情報受付手段を備え、前記同期手段は、該美容室端末装置と前記ユーザ端末装置との間で、入力を受け付けた新たなヘアスタイルに関する情報を同期することが好ましい。
【００１２】
また、第４発明に係る美容室支援システムは、第１乃至第３発明のいずれか１つにおいて、前記美容室端末装置は、選択を受け付けた合成画像の基礎となったヘアスタイルに関する情報で特定されたヘアスタイルを具現化する方法に関する情報を記憶する情報記憶手段と、選択を受け付けた合成画像の基礎となったヘアスタイルに関する情報に対応する前記ヘアスタイルを具現化する方法に関する情報を表示する情報表示手段とを備えることが好ましい。
【００１３】
また、第５発明に係る美容室支援システムは、第１乃至第４発明のいずれか１つにおいて、前記ユーザ端末装置の表示手段は、複数のヘアスタイルに関する合成画像を並列に一括表示する一括表示手段を備えることが好ましい。
【００１４】
また、第６発明に係る美容室支援システムは、第１乃至第５発明のいずれか１つにおいて、前記ユーザ端末装置は、選択を受け付けた合成画像に対応付けて、前記美容室に関する情報を検索した結果を表示する美容室情報表示手段を備えることが好ましい。
【００１５】
次に、上記目的を達成するために第７発明に係る美容室支援方法は、美容室に設置されている美容室端末装置と、ユーザが所持するユーザ端末装置とがデータ通信することが可能に接続されており、前記ユーザ端末装置で選択を受け付けたヘアスタイルを実現できる美容室を選択することが可能な美容室支援システムで実行することが可能な美容室支援方法において、前記美容室端末装置の設置場所に関する情報を複数の前記ユーザ端末装置で共有しておき、前記ユーザ端末装置は、ユーザ自身の顔を撮像する工程と、撮像された顔の画像データを、複数のヘアスタイルに関する情報と合成して合成画像を生成する工程と、生成された合成画像を選択可能に表示する工程と、複数の合成画像から一の合成画像の選択を受け付ける工程と、選択を受け付けた合成画像及び前記ユーザ端末装置を識別する情報を前記美容室端末装置へ送信する工程とを含み、前記美容室端末装置は、選択を受け付けた合成画像及び前記ユーザ端末装置を識別する情報を受信する工程と、受信した前記ユーザ端末装置を識別する情報に対応するユーザ端末装置を所持するユーザが来店したか否かを判断する工程と、前記ユーザ端末装置を所持するユーザが来店したと判断した場合には、前記ユーザ端末装置に所定のポイントを累積付与する工程とを含むことを特徴とする。
【００１６】
また、第８発明に係る美容室支援方法は、第７発明において、前記美容室端末装置は、該美容室端末装置と前記ユーザ端末装置との間で前記ヘアスタイルに関する情報を同期する工程を含むことが好ましい。
【００１７】
また、第９発明に係る美容室支援方法は、第８発明において、前記美容室端末装置は、新たなヘアスタイルに関する情報の入力を受け付ける工程を含み、該美容室端末装置と前記ユーザ端末装置との間で、入力を受け付けた新たなヘアスタイルに関する情報を同期することが好ましい。
【００１８】
また、第１０発明に係る美容室支援方法は、第７乃至第９発明のいずれか１つにおいて、前記美容室端末装置は、選択を受け付けた合成画像の基礎となったヘアスタイルに関する情報で特定されたヘアスタイルを具現化する方法に関する情報を記憶する工程と、選択を受け付けた合成画像の基礎となったヘアスタイルに関する情報に対応する前記ヘアスタイルを具現化する方法に関する情報を表示する工程とを含むことが好ましい。
【００１９】
次に、上記目的を達成するために第１１発明に係るユーザ端末装置は、外部とデータ通信することが可能であり、選択を受け付けたヘアスタイルを実現できる美容室を選択することが可能な、ユーザが所持するユーザ端末装置において、前記美容室に関する情報を前記美容室に設置されている端末装置と共有しておき、ユーザ自身の顔を撮像する撮像手段と、撮像された顔の画像データを、複数のヘアスタイルに関する情報と合成して合成画像を生成する合成画像生成手段と、生成された合成画像を選択可能に表示する表示手段と、複数の合成画像から一の合成画像の選択を受け付ける画像選択受付手段と、選択を受け付けた合成画像及び前記ユーザ端末装置を識別する情報を前記美容室に設置されている端末装置へ送信するヘアスタイル情報送信手段とを備え、所持するユーザが前記美容室に来店した場合には、前記美容室に設置されている端末装置から所定のポイントを受信して累積することを特徴とする。
【００２０】
また、第１２発明に係るユーザ端末装置は、第１１発明において、前記表示手段は、複数のヘアスタイルに関する合成画像を並列に一括表示する一括表示手段を備えることが好ましい。
【００２１】
また、第１３発明に係るユーザ端末装置は、第１１又は第１２発明において、選択を受け付けた合成画像に対応付けて、前記美容室に関する情報を検索した結果を表示する美容室情報表示手段を備えることが好ましい。
【００２２】
次に、上記目的を達成するために第１４発明に係る美容室端末装置は、外部とデータ通信可能であり、美容室に設置されている美容室端末装置において、設置場所に関する情報を複数の外部の端末装置で共有しておき、前記外部の端末装置で選択を受け付けた合成画像及び前記外部の端末装置を識別する情報を受信するヘアスタイル情報受信手段と、受信した前記外部の端末装置を識別する情報に対応する外部の端末装置を所持するユーザが来店したか否かを判断する判断手段と、前記外部の端末装置を所持するユーザが来店したと判断した場合には、前記外部の端末装置に所定のポイントを累積付与するポイント付与手段とを有することを特徴とする。
【００２３】
また、第１５発明に係る美容室端末装置は、第１４発明において、前記外部の端末装置との間でヘアスタイルに関する情報を同期する同期手段を備えることが好ましい。
【００２４】
また、第１６発明に係る美容室端末装置は、第１５発明において、新たなヘアスタイルに関する情報の入力を受け付けるヘアスタイル情報受付手段を備え、前記同期手段は、前記外部の端末装置との間で、入力を受け付けた新たなヘアスタイルに関する情報を同期することが好ましい。
【００２５】
また、第１７発明に係る美容室端末装置は、第１４乃至第１６発明のいずれか１つにおいて、前記外部の端末装置で選択を受け付けた合成画像の基礎となったヘアスタイルに関する情報で特定されたヘアスタイルを具現化する方法に関する情報を記憶する情報記憶手段と、前記外部の端末装置で選択を受け付けた合成画像の基礎となったヘアスタイルに関する情報に対応する前記ヘアスタイルを具現化する方法に関する情報を表示する情報表示手段とを備えることが好ましい。
【００２６】
また、第１８発明に係る美容室端末装置は、第１４乃至第１７発明のいずれか１つにおいて、ユーザ自身の顔を撮像する撮像手段と、撮像された顔の画像データを、複数のヘアスタイルに関する情報と合成して合成画像を生成する合成画像生成手段と、生成された合成画像を選択可能に表示する表示手段と、複数の合成画像から一の合成画像の選択を受け付ける画像選択受付手段とを備えることが好ましい。
【００２７】
また、第１９発明に係る美容室端末装置は、第１８発明において、前記表示手段は、複数のヘアスタイルに関する合成画像を並列に一括表示する一括表示手段を備えることが好ましい。
【００２８】
また、第２０発明に係る美容室端末装置は、第１８又は第１９発明において、前記表示手段は、ヘアスタイルの大きさ及び縦横比を変化させて表示する表示更新手段を備えることが好ましい。
【００２９】
次に、上記目的を達成するために第２１発明に係るコンピュータプログラムは、外部とデータ通信することが可能であり、選択を受け付けたヘアスタイルを実現できる美容室を選択することが可能な、ユーザが所持するユーザ端末装置で実行することが可能なコンピュータプログラムにおいて、前記美容室に関する情報を前記美容室に設置されている端末装置と共有しておき、前記ユーザ端末装置を、ユーザ自身の顔を撮像する撮像手段、撮像された顔の画像データを、複数のヘアスタイルに関する情報と合成して合成画像を生成する合成画像生成手段、生成された合成画像を選択可能に表示する表示手段、複数の合成画像から一の合成画像の選択を受け付ける画像選択受付手段、及び選択を受け付けた合成画像及び前記ユーザ端末装置を識別する情報を前記美容室に設置されている端末装置へ送信するヘアスタイル情報送信手段として機能させ、所持するユーザが前記美容室に来店した場合には、前記美容室に設置されている端末装置から所定のポイントを受信して累積する手段として機能させることを特徴とする。
【００３０】
また、第２２発明に係るコンピュータプログラムは、第２１発明において、前記表示手段を、複数のヘアスタイルに関する合成画像を並列に一括表示する一括表示手段として機能させることが好ましい。
【００３１】
また、第２３発明に係るコンピュータプログラムは、第２１又は第２２発明において、前記ユーザ端末装置を、選択を受け付けた合成画像に対応付けて、前記美容室に関する情報を検索した結果を表示する美容室情報表示手段として機能させることが好ましい。
【００３２】
次に、上記目的を達成するために第２４発明に係るコンピュータプログラムは、外部とデータ通信可能であり、美容室に設置されている美容室端末装置で実行することが可能なコンピュータプログラムにおいて、設置場所に関する情報を複数の外部の端末装置で共有しておき、前記美容室端末装置を、前記外部の端末装置で選択を受け付けた合成画像及び前記外部の端末装置を識別する情報を受信するヘアスタイル情報受信手段、受信した前記外部の端末装置を識別する情報に対応する外部の端末装置を所持するユーザが来店したか否かを判断する判断手段、及び前記外部の端末装置を所持するユーザが来店したと判断した場合には、前記外部の端末装置に所定のポイントを累積付与するポイント付与手段として機能させることを特徴とする。
【００３３】
また、第２５発明に係るコンピュータプログラムは、第２４発明において、前記美容室端末装置を、前記外部の端末装置との間でヘアスタイルに関する情報を同期する同期手段として機能させることが好ましい。
【００３４】
また、第２６発明に係るコンピュータプログラムは、第２５発明において、前記美容室端末装置を、新たなヘアスタイルに関する情報の入力を受け付けるヘアスタイル情報受付手段として機能させ、前記同期手段を、前記外部の端末装置との間で、入力を受け付けた新たなヘアスタイルに関する情報を同期する手段として機能させることが好ましい。
【００３５】
また、第２７発明に係るコンピュータプログラムは、第２４乃至第２６発明のいずれか１つにおいて、前記美容室端末装置を、前記外部の端末装置で選択を受け付けた合成画像の基礎となったヘアスタイルに関する情報で特定されたヘアスタイルを具現化する方法に関する情報を記憶する情報記憶手段、及び前記外部の端末装置で選択を受け付けた合成画像の基礎となったヘアスタイルに関する情報に対応する前記ヘアスタイルを具現化する方法に関する情報を表示する情報表示手段として機能させることが好ましい。
【００３６】
また、第２８発明に係るコンピュータプログラムは、第２４乃至２７発明のいずれか１つにおいて、前記美容室端末装置を、ユーザ自身の顔を撮像する撮像手段、撮像された顔の画像データを、複数のヘアスタイルに関する情報と合成して合成画像を生成する合成画像生成手段、生成された合成画像を選択可能に表示する表示手段、及び複数の合成画像から一の合成画像の選択を受け付ける画像選択受付手段として機能させることが好ましい。
【００３７】
また、第２９発明に係るコンピュータプログラムは、第２８発明において、前記表示手段を、複数のヘアスタイルに関する合成画像を並列に一括表示する一括表示手段として機能させることが好ましい。
【００３８】
また、第３０発明に係るコンピュータプログラムは、第２８又は第２９発明において、前記表示手段を、ヘアスタイルの大きさ及び縦横比を変化させて表示する表示更新手段として機能させることが好ましい。
【００３９】
第１発明及び第７発明では、美容室端末装置に関する情報を複数のユーザ端末装置で共有しておき、ユーザ端末装置は、ユーザ自身の顔を撮像し、撮像された顔の画像データを、複数のヘアスタイルに関する情報と合成して合成画像を生成する。生成された合成画像を選択可能に表示し、複数の合成画像から一の合成画像の選択を受け付け、選択を受け付けた合成画像及びユーザ端末装置を識別する情報を美容室端末装置へ送信する。美容室端末装置は、選択を受け付けた合成画像及びユーザ端末装置を識別する情報を受信し、受信したユーザ端末装置を識別する情報に対応するユーザ端末装置を所持するユーザが来店したか否かを判断する。ユーザ端末装置を所持するユーザが来店したと判断した場合には、ユーザ端末装置に所定のポイントを累積付与する。これにより、ユーザは、複数のヘアスタイルの中から、自分が一番気に入ったヘアスタイルを選択することができるとともに、実際に施術することができる美容室を選択することができるので、仕上がった自分のヘアスタイルに対する満足感が向上する。また、美容室に来店した場合に何らかの特典と交換できるポイントが付与されるので、ヘアスタイルを選択する動機付けが高まる。さらに、自分の好きなヘアスタイルを実現することが可能となり、ユーザの来店を促進することができ、美容室の売上向上に寄与することができる。
【００４０】
第２発明及び第８発明では、美容室端末装置とユーザ端末装置との間でヘアスタイルに関する情報を同期するので、最新のヘアスタイルに関する情報を、施術することができる美容室に対応付けて共有することができ、最新のヘアスタイルであっても確実に施術できる美容室を見つけて訪問することができる。
【００４１】
第３発明及び第９発明では、新たなヘアスタイルに関する情報の入力を受け付け、美容室端末装置とユーザ端末装置との間で、入力を受け付けた新たなヘアスタイルに関する情報を同期するので、美容室が順次、新たなヘアスタイルの提案をすることが可能となる。
【００４２】
第４発明及び第１０発明では、選択を受け付けた合成画像の基礎となったヘアスタイルに関する情報で特定されたヘアスタイルを具現化する方法に関する情報を記憶しておき、選択を受け付けた合成画像の基礎となったヘアスタイルに関する情報に対応するヘアスタイルを具現化する方法に関する情報を表示する。これにより、美容室は、初めてのヘアスタイルであってもユーザに確実に施術を提供することが可能となる。
【００４３】
第５発明では、複数のヘアスタイルに関する合成画像を並列に一括表示するので、選択対象となるヘアスタイルを目視で比較しながら検討することができる。
【００４４】
第６発明では、選択を受け付けた合成画像に対応付けて、美容室に関する情報を検索した結果を表示するので、ユーザは、選択したヘアスタイルを実際に施術してもらうことが可能な美容室を確実に選ぶことが可能となる。
【００４５】
第１１発明及び第２１発明では、美容室に関する情報を美容室が所持する端末装置と共有しておき、ユーザ自身の顔を撮像し、撮像された顔の画像データを、複数のヘアスタイルに関する情報と合成して合成画像を生成する。生成された合成画像を選択可能に表示し、複数の合成画像から一の合成画像の選択を受け付け、選択を受け付けた合成画像及びユーザ端末装置を識別する情報を美容室に設置されている端末装置へ送信する。所持するユーザが美容室に来店した場合には、美容室に設置されている端末装置から所定のポイントを受信して累積する。これにより、ユーザは、複数のヘアスタイルの中から、自分が一番気に入ったヘアスタイルを選択することができるとともに、実際に施術することができる美容室へ来店する可能性を伝えることができるので、美容室は、施術するヘアスタイルの確認を含めて来店時の準備をすることができ、ユーザの満足度を向上させることが可能となる。
【００４６】
第１２発明及び第２２発明では、複数のヘアスタイルに関する合成画像を並列に一括表示する一括表示手段を備えるので、選択対象となるヘアスタイルを目視で比較しながら検討することができる。
【００４７】
第１３発明及び第２３発明では、選択を受け付けた合成画像に対応付けて、美容室に関する情報を検索した結果を表示するので、ユーザは、選択したヘアスタイルを実際に施術してもらうことが可能な美容室を確実に選ぶことが可能となる。
【００４８】
第１４発明及び第２４発明では、設置場所に関する情報を複数の外部の端末装置で共有しておき、外部の端末装置で選択を受け付けた合成画像及び外部の端末装置を識別する情報を受信し、受信したユーザ端末装置を識別する情報に対応する外部の端末装置を所持するユーザが来店したか否かを判断する。外部の端末装置を所持するユーザが来店したと判断した場合には、外部の端末装置に所定のポイントを累積付与する。これにより、複数のヘアスタイルの中から、自分が一番気に入ったヘアスタイルを選択したユーザが、実際に施術することができる美容室に来店することができ、美容室に来店した場合に何らかの特典と交換できるポイントが付与されることから、ヘアスタイルを選択する動機付けが高まる。また、ヘアスタイルを選択することでユーザの来店を促進することができるので、美容室の売上向上に寄与することができる。
【００４９】
第１５発明及び第２５発明では、外部の端末装置との間でヘアスタイルに関する情報を同期するので、最新のヘアスタイルに関する情報を、施術することができる美容室に対応付けて共有することができ、最新のヘアスタイルであっても確実に施術できる美容室を見つけて訪問することができる。
【００５０】
第１６発明及び第２６発明では、新たなヘアスタイルに関する情報の入力を受け付け、外部の端末装置との間で、入力を受け付けた新たなヘアスタイルに関する情報を同期するので、美容室が順次、新たなヘアスタイルの提案をすることが可能となる。
【００５１】
第１７発明及び第２７発明では、外部の端末装置で選択を受け付けた合成画像の基礎となったヘアスタイルに関する情報で特定されたヘアスタイルを具現化する方法に関する情報を記憶し、外部の端末装置で選択を受け付けた合成画像の基礎となったヘアスタイルに関する情報に対応するヘアスタイルを具現化する方法に関する情報を表示する。これにより、美容室は、初めてのヘアスタイルであってもユーザに確実に施術を提供することが可能となる。
【００５２】
第１８発明及び第２８発明では、ユーザ自身の顔を撮像し、撮像された顔の画像データを、複数のヘアスタイルに関する情報と合成して合成画像を生成する。生成された合成画像を選択可能に表示し、複数の合成画像から一の合成画像の選択を受け付ける。これにより、美容室においても、ユーザは、複数のヘアスタイルの中から、自分が一番気に入ったヘアスタイルを選択することができる。
【００５３】
第１９発明及び第２９発明では、複数のヘアスタイルに関する合成画像を並列に一括表示するので、選択対象となるヘアスタイルを目視で比較しながら検討することができる。
【００５４】
第２０発明及び第３０発明では、ヘアスタイルの大きさ及び縦横比を変化させて表示するので、より実際に施術した後の状態に近接させて表示することができ、仕上がり状態を確認しながらヘアスタイルを選択することが可能となる。
【発明の効果】
【００５５】
本発明によれば、ユーザは、複数のヘアスタイルの中から、自分が一番気に入ったヘアスタイルを選択することができるとともに、実際に施術することができる美容室を選択することができるので、仕上がった自分のヘアスタイルに対する満足感が向上する。また、美容室に来店した場合に何らかの特典と交換できるポイントが付与されるので、ヘアスタイルを選択する動機付けが高まる。さらに、自分の好きなヘアスタイルを実現することが可能となり、ユーザの来店を促進することができ、美容室の売上向上に寄与することができる。
【図面の簡単な説明】
【００５６】
【図１】本発明の実施の形態に係る美容室支援システムの構成を示す模式図である。
【図２】本発明の実施の形態に係る美容室支援システムの美容室端末装置の構成を示す模式ブロック図である。
【図３】本発明の実施の形態に係る美容室支援システムのユーザ端末装置の構成を示す模式ブロック図である。
【図４】本発明の実施の形態に係る美容室支援システムのユーザ端末装置の構成を示す機能ブロック図である。
【図５】本発明の実施の形態に係る美容室支援システムのユーザ端末装置における合成画像の表示画面の例示図である。
【図６】本発明の実施の形態に係る美容室支援システムのユーザ端末装置における合成画像の全画面表示の例示図である。
【図７】本発明の実施の形態に係る美容室支援システムのユーザ端末装置における美容室候補の表示画面の例示図である。
【図８】本発明の実施の形態に係る美容室支援システムのユーザ端末装置のＣＰＵの処理手順を示すフローチャートである。
【図９】本発明の実施の形態に係る美容室支援システムの美容室端末装置の構成を示す機能ブロック図である。
【図１０】本発明の実施の形態に係る美容室支援システムの美容室端末装置の設置場所に関する情報の共有処理の手順を示すフローチャートである。
【図１１】本発明の実施の形態に係る美容室支援システムの美容室端末装置のポイント付与処理の手順を示すフローチャートである。
【図１２】本発明の実施の形態に係る美容室支援システムの美容室端末装置のヘアスタイルを具現化する方法に関する情報の表示画面の例示図である。
【図１３】本発明の実施の形態に係る美容室支援システムの美容室端末装置の追加構成を示す機能ブロック図である。
【図１４】本発明の実施の形態に係る美容室支援システムの美容室端末装置のＣＰＵの想定画像データ表示処理の手順を示すフローチャートである。
【発明を実施するための形態】
【００５７】
以下、本発明の実施の形態に係る美容室支援システムについて、図面を参照しながら説明する。なお、参照する図面を通じて、同一又は同様の構成又は機能を有する要素については、同一又は同様の符号を付して、詳細な説明を省略する。
【００５８】
図１は、本発明の実施の形態に係る美容室支援システムの構成を示す模式図である。図１に示すように、本実施の形態に係る美容室支援システムは、美容室それぞれに設置してある複数の美容室端末装置２と、それぞれのユーザが所持しながら使用する複数のユーザ端末装置３とが、インターネット１等のネットワーク網を介してデータ通信することが可能に接続されている。
【００５９】
美容室端末装置２は、タブレット等の移動可能な端末装置であることが好ましい。来店したユーザがヘアスタイル等を確認することができるからである。ユーザ端末装置３は、スマートフォン等の携帯可能な端末装置であることが好ましい。移動しながら自分の気に入ったヘアスタイルを実現することが可能な美容室を探すことができるからである。
【００６０】
図２は、本発明の実施の形態に係る美容室支援システムの美容室端末装置２の構成を示すブロック図である。本発明の実施の形態に係る美容室端末装置２は、少なくともＣＰＵ（中央演算装置）２１、メモリ２２、記憶装置２３、Ｉ／Ｏインタフェース２４、ビデオインタフェース２５、タッチディスプレイ２６、撮像手段２７、通信インタフェース２８及び上述したハードウェアを接続する内部バス２９で構成されている。
【００６１】
ＣＰＵ２１は、内部バス２９を介して美容室端末装置２の上述したようなハードウェア各部と接続されており、上述したハードウェア各部の動作を制御するとともに、記憶装置２３に記憶されたコンピュータプログラム１００に従って、種々のソフトウェア的機能を実行する。メモリ２２は、ＳＲＡＭ、ＳＤＲＡＭ等の揮発性メモリで構成され、コンピュータプログラム１００の実行時にロードモジュールが展開され、コンピュータプログラム１００の実行時に発生する一時的なデータ等を記憶する。
【００６２】
記憶装置２３は、内蔵される固定型記憶装置（ハードディスク）、ＲＯＭ等で構成されている。記憶装置２３に記憶されたコンピュータプログラム１００は、通信インタフェース２８を介して接続されている外部コンピュータからダウンロードされ、実行時には記憶装置２３からメモリ２２へ展開して実行される。もちろん、プログラム及びデータ等の情報を記録したＳＤカード等の可搬型記録媒体からのリーダ／ライタを備えている場合には、可搬型記録媒体からコンピュータプログラム１００を読み出しても良い。
【００６３】
記憶装置２３には、ヘアスタイルに関する情報が記憶されている。ヘアスタイルに関する情報としては、画面上でシミュレーションに用いるヘアスタイルの画像データ、ヘアスタイルを識別する情報の他、ヘアスタイルを実現する施術方法に関する情報等が含まれる。また、撮像したユーザの顔の画像データも記憶されている。
【００６４】
通信インタフェース２８は内部バス２９に接続されており、インターネット１、無線ＬＡＮ、ＷＡＮ等の外部のネットワーク網に接続されることにより、外部のコンピュータ等とデータ送受信を行うことが可能となっている。
【００６５】
Ｉ／Ｏインタフェース２４及びビデオインタフェース２５は、液晶ディスプレイで構成されたタッチディスプレイ２６と接続され、受信したヘアスタイルの画像データとユーザの顔の画像データとの合成画像を表示しつつ、施術方法等のヘアスタイルの関する情報の表示操作の入力を受け付ける。もちろん、携帯可能な端末装置であれば、本構成に限定されるものではない。来店したユーザに、確認のためにヘアスタイルを見せることができれば足りるからである。
【００６６】
なお、撮像手段２７は、ＣＣＤカメラ等であり、備えていてもいなくても良い。撮像手段２７を備えている場合、美容室に来店したユーザの顔を今一度撮像して、撮像した顔の画像データにヘアスタイルの画像データを合成することにより、ヘアスタイルの仕上がり状態を確認してもらうことができる。また、美容室に来店したユーザにヘアスタイルを選択してもらうこともできる。
【００６７】
図３は、本発明の実施の形態に係る美容室支援システムのユーザ端末装置３の構成を示す模式ブロック図である。本実施の形態に係るユーザ端末装置３は、少なくともＣＰＵ（中央演算装置）３１、メモリ３２、記憶装置３３、Ｉ／Ｏインタフェース３４、ビデオインタフェース３５、タッチディスプレイ３６、撮像手段３７、通信インタフェース３８及び上述したハードウェアを接続する内部バス３９で構成されている。
【００６８】
ＣＰＵ３１は、内部バス３９を介してユーザ端末装置３の上述したようなハードウェア各部と接続されており、上述したハードウェア各部の動作を制御するとともに、記憶装置３３に記憶されたコンピュータプログラム１０１に従って、種々のソフトウェア的機能を実行する。メモリ３２は、ＳＲＡＭ、ＳＤＲＡＭ等の揮発性メモリで構成され、コンピュータプログラム１０１の実行時にロードモジュールが展開され、コンピュータプログラム１０１の実行時に発生する一時的なデータ等を記憶する。
【００６９】
記憶装置３３は、内蔵される固定型記憶装置（ハードディスク）、ＲＯＭ等で構成されている。記憶装置３３に記憶されたコンピュータプログラム１０１は、通信インタフェース３８を介して接続されている外部コンピュータからダウンロードされ、実行時には記憶装置３３からメモリ３２へ展開して実行される。もちろん、プログラム及びデータ等の情報を記録したＳＤカード等の可搬型記録媒体からのリーダ／ライタを備えている場合には、可搬型記録媒体からコンピュータプログラム１０１を読み出しても良い。
【００７０】
記憶装置３３には、ヘアスタイルに関する情報及び美容室端末装置２の設置場所に関する情報が記憶されている。ヘアスタイルに関する情報としては、シミュレーションに用いるヘアスタイルの画像情報、ヘアスタイルを識別する情報の他、ヘアスタイルを実現する施術方法に関する情報等が含まれる。美容室端末装置２の設置場所に関する情報には、少なくとも美容室端末装置２を設置している美容室の名前、場所、料金等に関する情報が含まれる。
【００７１】
通信インタフェース３８は内部バス３９に接続されており、インターネット１、無線ＬＡＮ、ＷＡＮ等の外部のネットワーク網に接続されることにより、外部コンピュータ等とデータ送受信を行うことが可能となっている。
【００７２】
Ｉ／Ｏインタフェース３４及びビデオインタフェース３５は、液晶ディスプレイで構成されたタッチディスプレイ３６と接続され、ヘアスタイルの画像データとユーザの顔の画像データとの合成画像を選択することが可能に表示する。もちろん、携帯可能な端末装置であれば、本構成に限定されるものではない。
【００７３】
撮像手段３７は、ＣＣＤカメラ等であり、ユーザの顔を撮像して、撮像した顔の画像データにヘアスタイルの画像データを合成することにより、ヘアスタイルごとに自分の状態を確認することができる。
【００７４】
以下、上記構成の美容室支援システムについて説明する。図４は、本発明の実施の形態に係る美容室支援システムのユーザ端末装置３の構成を示す機能ブロック図である。
【００７５】
図４において、本実施の形態に係るユーザ端末装置３の撮像部（撮像手段）３０１は、ヘアスタイルを確認するユーザ自身の顔を撮像する。撮像部３０１で撮像された顔の画像データは、ユーザ端末装置３の記憶装置３３に記憶される。撮像部３０１としては、ＣＣＤイメージセンサ、ＣＭＯＳイメージセンサ等を採用する。
【００７６】
ヘアスタイル読出部３０２は、記憶装置３３に記憶されているヘアスタイルに関する情報を読み出す。ヘアスタイルに関する情報は、ヘアスタイルを識別するヘアスタイルＩＤに対応付けて、ヘアスタイルの画像データ、施術可能な美容室を識別する情報等が含まれている。
【００７７】
ヘアスタイルに関する情報は、複数のユーザ端末装置３及び美容室ごとに設置されている美容室端末装置２との間で共有（同期）されている。ヘアスタイルに関する情報の共有は、別個のヘアスタイルに関する情報を集約して記憶させているサーバを設け、複数のユーザ端末装置３及び美容室ごとの美容室端末装置２からアクセス可能とすることで実現することができる。もちろん、ヘアスタイルに関する情報が追加される都度、美容室端末装置２とすべてのユーザ端末装置３との間で同一のヘアスタイルに関する情報が記憶されるように自動更新しても良い。
【００７８】
合成画像生成部３０３は、撮像された顔の画像データと、ヘアスタイルの画像データとを合成して、所望のヘアスタイルにした場合に想定される合成画像を生成する。
【００７９】
ヘアスタイル表示部（表示手段）３０４は、生成された合成画像を選択することが可能に表示する。ヘアスタイル表示部３０４は、一括表示部３０５を備え、複数のヘアスタイルに関する合成画像を並列に一括表示しても良い。
【００８０】
図５は、本発明の実施の形態に係る美容室支援システムのユーザ端末装置３における合成画像の表示画面の例示図である。図５の例では、ユーザが選択することが可能な合成画像を並列に合成画像表示領域５１に表示している。もちろん、合成画像ではなく、ユーザの顔の画像データと合成する前のヘアスタイルに関する画像データだけを、並列に表示しても良い。
【００８１】
また、図５の例のように９つの画像データを合成画像表示領域５１に並列に一括表示するのではなく、ヘアスタイルごとに一枚ずつ合成画像表示領域５１に全画面表示しても良いし、ヘアスタイルの画像データだけを、一枚ずつ合成画像表示領域５１に全画面表示しても良い。
【００８２】
図５では、カーソル５０の表示位置を、矢印ボタン５２、５３、５４、５５で移動する。カーソル５０が端に位置するときには、そのままスクロールして合成画像表示領域５１に別のヘアスタイルを示す画像を表示する。ユーザは、カーソル５０が希望のヘアスタイルを示す画像に位置する状態で選択ボタン５６を選択する。これにより、自分の所望のヘアスタイルがどれかを明確に選択することができる。
【００８３】
図６は、本発明の実施の形態に係る美容室支援システムのユーザ端末装置３における合成画像の全画面表示の例示図である。図６の例では、選択を受け付けた合成画像を、ヘアスタイル表示領域６１に全画面表示している。
【００８４】
「リターン」ボタン５７により、図５の画面に戻ることができ、再度ヘアスタイルを示す画像を選択することができる。「決定」ボタン５８により、ユーザが所望のヘアスタイルを確定することができ、少なくとも合成画像及びヘアスタイルに関する情報のうちヘアスタイルを識別する情報、例えばヘアスタイルＩＤを美容室端末装置２へ送信する。もちろん、合成画像の代わりにヘアスタイルの画像データを同時に送信しても良い。
【００８５】
図４に戻って、画像選択受付部３０６は、複数の合成画像の中から、所望のヘアスタイルである一の合成画像の選択を受け付ける。図６の例では、「決定」ボタン５８を選択する操作が、これに対応する。もちろん、ヘアスタイルの画像データだけが複数表示されている場合には、ヘアスタイルの画像データの中から一のヘアスタイルの画像データの選択を受け付ければ良い。
【００８６】
ヘアスタイル情報送信部３０７は、選択を受け付けた合成画像及び現在データ通信しているユーザ端末装置３を識別する情報を美容室端末装置２へ送信する。もちろん、合成画像の代わりにヘアスタイルの画像データを同時に送信しても良い。ユーザ端末装置３を識別する情報としては、所持するユーザのユーザＩＤ、ユーザ端末装置３を識別する端末ＩＤ、ＭＡＣアドレス等、ユーザ端末装置３を特定することが可能な情報であれば何でも良い。
【００８７】
なお、選択を受け付けた合成画像の基礎となるヘアスタイルに関する情報に対応付けて、美容室に関する情報を検索した結果を表示する美容室情報表示部３０８を備えても良い。選択を受け付けた合成画像で示されているヘアスタイルを実現可能な美容室を確実に選択できるようにするためである。
【００８８】
図７は、本発明の実施の形態に係る美容室支援システムのユーザ端末装置３における美容室候補の表示画面の例示図である。図７の例では、美容室候補表示領域７１に、ユーザが選択した合成画像に対応するヘアスタイルを具現化（実現）することが可能な美容室の候補が表示されている。表示された美容室候補の中から、カーソル表示領域７２を選択することで、施術可能な美容室に関する詳細な情報を表示することができる。詳細な情報としては、例えば電話番号、メールアドレス、住所、地図等の情報である。
【００８９】
なお、美容室候補については、美容室端末装置２の設置場所に関する情報として複数のユーザ端末装置３間で共有することが好ましい。美容室端末装置２の設置場所に関する情報には、少なくとも美容室端末装置２を設置している美容室の名前、場所、料金等に関する情報が含まれている。美容室端末装置２の設置場所に関する情報は、美容室を識別する情報に対応付けて複数のユーザ端末装置３との間で共有する。
【００９０】
具体的には、外部のサーバに、美容室端末装置２の設置場所に関する情報、すなわち美容室端末装置２を設置している美容室の名前、場所、料金等に関する情報を、美容室を識別する情報に対応付けて記憶しておく。一定の時間間隔ごとに、すべてのユーザ端末装置３が外部のサーバにアクセスし、外部のサーバに記憶されている美容室端末装置２の設置場所に関する情報、すなわち美容室端末装置２を設置している美容室の名前、場所、料金等に関する情報を、美容室を識別する情報に対応付けてダウンロードする。これにより、すべてのユーザ端末装置３と美容室端末装置２との間で情報を共有することができる。
【００９１】
図８は、本発明の実施の形態に係る美容室支援システムのユーザ端末装置３のＣＰＵ３１の処理手順を示すフローチャートである。図８において、ユーザ端末装置３のＣＰＵ３１は、ヘアスタイルを確認するユーザ自身の顔を撮像し（ステップＳ８０１）、撮像された顔の画像データを記憶装置３３に記憶する（ステップＳ８０２）。
【００９２】
ＣＰＵ３１は、記憶されているヘアスタイルに関する情報を読み出し（ステップＳ８０３）、撮像された顔の画像データと、ヘアスタイルの画像データとを合成して、所望のヘアスタイルにした場合に想定される合成画像を生成する（ステップＳ８０４）。
【００９３】
ＣＰＵ３１は、一又は複数の合成画像を選択することが可能に表示し（ステップＳ８０５）、表示された一又は複数の合成画像の中から一の合成画像の選択を受け付ける（ステップＳ８０６）。
【００９４】
ＣＰＵ３１は、選択を受け付けた合成画像及びユーザ端末装置３を識別する情報を美容室端末装置２へ送信する（ステップＳ８０７）。もちろん、合成画像の代わりにヘアスタイルの画像データを送信しても良い。
【００９５】
次に、図９は、本発明の実施の形態に係る美容室支援システムの美容室端末装置２の構成を示す機能ブロック図である。図９において、本実施の形態に係る美容室端末装置２のヘアスタイル情報共有部２０１は、ヘアスタイルに関する情報、すなわちヘアスタイルの画像データ、ヘアスタイルを識別する情報、例えばヘアスタイルＩＤ等を、複数のユーザ端末装置３との間で共有する。
【００９６】
具体的には、外部のサーバに、ヘアスタイルに関する情報、すなわちヘアスタイルの画像データ、ヘアスタイルを識別する情報、例えばヘアスタイルＩＤ等を、記憶しておく。一定の時間間隔ごとに、すべてのユーザ端末装置３が外部のサーバにアクセスし、外部のサーバに記憶されているヘアスタイルに関する情報、すなわちヘアスタイルの画像データ、ヘアスタイルを識別する情報、例えばヘアスタイルＩＤ等をダウンロードする。これにより、すべてのユーザ端末装置３と美容室端末装置２との間で情報を共有することができる。
【００９７】
もちろん、所定のユーザ端末装置３ごとにコーディネーター端末機能を有し、コーディネート端末が複数のユーザ端末装置３の情報共有を管理し、コーディネート端末間で情報を共有するようにすることで、外部のサーバを設けないようにしても良い。
【００９８】
図１０は、本発明の実施の形態に係る美容室支援システムの美容室端末装置２の設置場所に関する情報の共有処理の手順を示すフローチャートである。図１０において、ＣＰＵ２１は、所定のタイミングから所定の時間経過したか否かを判断する（ステップＳ１００１）。
【００９９】
ＣＰＵ２１が、所定のタイミングから所定の時間経過していないと判断した場合（ステップＳ１００１：ＮＯ）、所定の時間が経過するまで待ち状態となる。ＣＰＵ２１が、所定のタイミングから所定の時間経過したと判断した場合（ステップＳ１００１：ＹＥＳ）、ＣＰＵ２１は、ヘアスタイルを識別するヘアスタイルＩＤに対応付けて、ヘアスタイルの画像データ、施術可能な美容室を識別する情報等を含むヘアスタイルに関する情報を読み出す（ステップＳ１００２）。同様の処理手順で、ユーザ端末装置３においてもヘアスタイルに関する情報を読み出すことができるので、ヘアスタイルに関する情報を美容室端末装置２及びユーザ端末装置３で共有することができる。
【０１００】
図９に戻って、ヘアスタイル情報受信部２０２は、ユーザ端末装置３から、選択を受け付けた合成画像及びユーザ端末装置３を識別する情報を受信する。合成画像の代わりに、ヘアスタイルの識別情報だけを受信しても良いし、ヘアスタイルの画像データだけを受信しても良い。
【０１０１】
なお、ユーザ端末装置３を識別する情報としては、所持するユーザのユーザＩＤ、ユーザ端末装置３を識別する端末ＩＤ、ＭＡＣアドレス等、ユーザ端末装置３を特定することが可能な情報であれば何でも良い。
【０１０２】
来店判断部（判断手段）２０３は、受信したユーザ端末装置３を識別する情報に対応するユーザ端末装置３を所持するユーザが来店したか否かを判断する。ただし、ユーザが来店したか否かを判断する方法は、特にこれに限定されるものではない。
【０１０３】
例えば、ユーザ端末装置３を識別する情報を送信してきたユーザ端末装置３を所持するユーザが、美容室へ来店したことを確認した時点で、美容室の店員が美容室端末装置２から来店したユーザを登録する。ユーザの登録を確認した時点でユーザが来店したと判断することができる。
【０１０４】
また、例えばＧＰＳでユーザ端末装置３の位置を検出し、ユーザ端末装置３の位置が美容室端末装置２の位置と重なり合った時点でユーザが来店したと判断しても良い。あるいは、ユーザ端末装置３を所持するユーザによる美容室での受付が完了した時点でユーザが来店したと判断しても良い。
【０１０５】
ポイント付与部２０４は、受信したユーザ端末装置３を識別する情報に対応するユーザ端末装置３を所持するユーザが来店したと判断した場合には、ユーザ端末装置３に累積付与する所定のポイントを送信する。累積付与するポイントは、来店ごとに付与しても良いし、来店時に提供するサービスに応じて付与しても良い。
【０１０６】
図１１は、本発明の実施の形態に係る美容室支援システムの美容室端末装置２のポイント付与処理の手順を示すフローチャートである。図１１において、ＣＰＵ２１は、ユーザ端末装置３から、選択を受け付けた合成画像及びユーザ端末装置３を識別する情報を受信する（ステップＳ１１０１）。合成画像の代わりに、ヘアスタイルの識別情報だけを受信しても良いし、ヘアスタイルの画像データだけを受信しても良い。
【０１０７】
なお、ユーザ端末装置３を識別する情報としては、所持するユーザのユーザＩＤ、ユーザ端末装置３を識別する端末ＩＤ、ＭＡＣアドレス等、ユーザ端末装置３を特定することが可能な情報であれば何でも良い。
【０１０８】
ＣＰＵ２１は、来店したユーザがユーザ端末装置３を所持しているか否かを判断する（ステップＳ１１０２）。ユーザ端末装置３を所持しているか否かは、美容室の店員が所持していることを確認して確認信号を入力しても良いし、ＧＰＳ等で取得した位置情報によりＣＰＵ２１が判断しても良い。
【０１０９】
ＣＰＵ２１が、来店したユーザがユーザ端末装置３を所持していると判断した場合（ステップＳ１１０２：ＹＥＳ）、ＣＰＵ２１は、所持しているユーザ端末装置３の端末ＩＤが、受信した端末ＩＤと一致するか否かを判断する（ステップＳ１１０３）。ＣＰＵ２１が、所持しているユーザ端末装置３の端末ＩＤが、受信した端末ＩＤと一致すると判断した場合（ステップＳ１１０３：ＹＥＳ）、所定のポイントを付与するためにユーザ端末装置３へ送信する（ステップＳ１１０４）。
【０１１０】
ＣＰＵ２１が、来店したユーザがユーザ端末装置３を所持していないと判断した場合（ステップＳ１１０２：ＮＯ）、又は所持しているユーザ端末装置３の端末ＩＤが、受信した端末ＩＤと一致しないと判断した場合（ステップＳ１１０３：ＮＯ）、ＣＰＵ２１は、処理を終了する。
【０１１１】
ポイントに応じて、販促品の提供等、直接売上の減少につながらないサービスを提供することが好ましい。すなわち、ポイントを値引き原資として使用しない。これにより、ユーザの来店促進に対して費用負担を回避することができる。
【０１１２】
図９に戻って、ヘアスタイル情報同期部（同期手段）２０８は、美容室端末装置２とユーザ端末装置３との間でヘアスタイルに関する情報を同期する。美容室で新たなヘアスタイルを提案した場合であっても、両者間でヘアスタイルに関する情報の状態を一致させておくことが好ましいからである。
【０１１３】
もちろん、新たなヘアスタイルについては、美容室端末装置２から入力しても良い。すなわち、ヘアスタイル情報受付部２０７は、新たなヘアスタイルに関する情報の入力を受け付ける。ヘアスタイル情報同期部２０８は、美容室端末装置２とユーザ端末装置３との間で、入力を受け付けた新たなヘアスタイルに関する情報を同期する。
【０１１４】
なお、ヘアスタイルに関する情報を具現化する方法、例えば施術方法等を美容室端末装置２で表示確認できることが好ましい。図９に戻って、情報記憶部２０６は、受信した合成画像の基礎となったヘアスタイルに関する情報と対応付けて、ヘアスタイルに関する情報で特定されたヘアスタイルを具現化する方法に関する情報を記憶する。
【０１１５】
情報表示部２０５は、受信した合成画像の基礎となったヘアスタイルに関する情報に対応する、ヘアスタイルを具現化する方法に関する情報を表示する。図１２は、本発明の実施の形態に係る美容室支援システムの美容室端末装置２のヘアスタイルを具現化する方法に関する情報の表示画面の例示図である。
【０１１６】
図１２において、情報表示領域１２１にヘアスタイルを具現化する方法に関する情報を表示する。ユーザがユーザ端末装置３で選択した合成画像が、ヘアスタイル表示領域１２２に表示される。情報は、１ページで表示しきれない場合には、スクロールボタン１２３でスクロールすることができる。
【０１１７】
また、美容室端末装置２にユーザ端末装置３と同様の機能を備えても良い。図１３は、本発明の実施の形態に係る美容室支援システムの美容室端末装置２の追加構成を示す機能ブロック図である。
【０１１８】
本実施の形態に係る美容室端末装置２の撮像部２１１は、ヘアスタイルを確認するユーザ自身の顔を撮像する。撮像部２１１で撮像された顔の画像データは、美容室端末装置２の記憶装置２３に記憶される。撮像部２１１としては、ＣＣＤイメージセンサ、ＣＭＯＳイメージセンサ等を採用する。
【０１１９】
ヘアスタイル読出部２１２は、記憶装置２３に記憶されているヘアスタイルに関する情報を読み出す。ヘアスタイルに関する情報は、ヘアスタイルを識別するヘアスタイルＩＤに対応付けて、ヘアスタイルの画像データ、施術可能な美容室を識別する情報等が含まれている。
【０１２０】
ヘアスタイルに関する情報は、複数のユーザ端末装置３及び美容室ごとに設置されている美容室端末装置２との間で共有（同期）されている。ヘアスタイルに関する情報の共有は、別個のヘアスタイルに関する情報を集約して記憶させているサーバを設け、複数のユーザ端末装置３及び美容室ごとの美容室端末装置２からアクセス可能とすることで実現することができる。もちろん、ヘアスタイルに関する情報が追加される都度、美容室端末装置２とすべてのユーザ端末装置３との間で同一のヘアスタイルに関する情報が記憶されるように自動更新しても良い。
【０１２１】
合成画像生成部２１３は、撮像された顔の画像データと、ヘアスタイルの画像データとを合成して、所望のヘアスタイルにした場合に想定される合成画像を生成する。
【０１２２】
ヘアスタイル表示部（表示手段）２０９は、生成された合成画像を選択することが可能に表示する。ヘアスタイル表示部２０９は、一括表示部２１４を備え、複数のヘアスタイルに関する合成画像を並列に一括表示しても良い。まとめてヘアスタイルに関する合成画像を表示することができるので、比較を容易にすることができ、ユーザによる選択を容易ならしめるからである。
【０１２３】
画像選択受付部２１６は、複数の合成画像の中から、所望のヘアスタイルである一の合成画像の選択を受け付ける。具体的には顔の画像データと合成した状態で、ユーザが気に入ったヘアスタイルとの合成画像の中から選択を受け付ける。
【０１２４】
選択画像表示部２１７は、選択を受け付けた合成画像を表示する。これにより、来店したユーザがどのようなヘアスタイルの仕上がりをイメージしているのかを明確に知ることが可能となる。
【０１２５】
図１４は、本発明の実施の形態に係る美容室支援システムの美容室端末装置２のＣＰＵ２１の想定画像データ表示処理の手順を示すフローチャートである。図１４において、美容室端末装置２のＣＰＵ２１は、来店してヘアスタイルを決めたいユーザの顔を撮像し（ステップＳ１４０１）、撮像された顔の画像データを記憶装置２３に記憶する（ステップＳ１４０２）。
【０１２６】
ＣＰＵ２１は、記憶されているヘアスタイルに関する情報を読み出し（ステップＳ１４０３）、撮像された顔の画像データと、ヘアスタイルの画像データとを合成して、所望のヘアスタイルにした場合に想定される合成画像を生成する（ステップＳ１４０４）。
【０１２７】
ＣＰＵ２１は、一又は複数の合成画像を選択することが可能に表示し（ステップＳ１４０５）、表示された一又は複数の合成画像の中から一の合成画像の選択を受け付ける（ステップＳ１４０６）。
【０１２８】
ＣＰＵ２１は、選択を受け付けた合成画像を美容室端末装置２に表示する（ステップＳ１４０７）。これにより、来店したユーザは、事前に自分のヘアスタイルの仕上がりをイメージすることができる。
【０１２９】
以上のように本実施の形態によれば、ユーザは、複数のヘアスタイルの中から、自分が一番気に入ったヘアスタイルを選択することができるとともに、実際に施術することができる美容室を選択することができるので、仕上がった自分のヘアスタイルに対する満足感が向上する。また、美容室に来店した場合に何らかの特典と交換できるポイントが付与されるので、ヘアスタイルを選択する動機付けが高まる。さらに、自分の好きなヘアスタイルを実現することが可能となり、ユーザの来店を促進することができ、美容室の売上向上に寄与することができる。
【０１３０】
なお、本発明は上記実施例に限定されるものではなく、本発明の趣旨の範囲内であれば多種の変更、改良等が可能である。例えば、美容室端末装置２において、ヘアスタイル表示部２０９は、ヘアスタイルの大きさ及び縦横比を変化させて表示する表示更新部２１５を備えていても良い。ヘアスタイルを示す画像データの更新方法は、周知の技術であれば特に限定されるものではない。もちろん、複数のヘアスタイルを一括表示している状態でヘアスタイルの大きさ及び縦横比を変化させて表示しても良いことは言うまでもない。
【０１３１】
また、美容室端末装置２から登録された新たなヘアスタイルに関する情報は、無料では合成画像を生成することができないようにしても良い。そして、施術可能な美容室へ来店した場合にのみ無料で合成画像を生成することができるようにすることで、ユーザの美容室への来店を促進することが可能となる。
【符号の説明】
【０１３２】
１  インターネット
２  美容室端末装置
３  ユーザ端末装置
２１、３１  ＣＰＵ
２２、３２  メモリ
２３、３３  記憶装置
２７、３７  撮像手段
１００、１０１  コンピュータプログラム
【図１】
2018045358.tif 000003
【図２】
2018045358.tif 000004
【図３】
2018045358.tif 000005
【図４】
2018045358.tif 000006
【図５】
2018045358.tif 000007
【図６】
2018045358.tif 000008
【図７】
2018045358.tif 000009
【図８】
2018045358.tif 000010
【図９】
2018045358.tif 000011
【図１０】
2018045358.tif 000012
【図１１】
2018045358.tif 000013
【図１２】
2018045358.tif 000014
【図１３】
2018045358.tif 000015
【図１４】
2018045358.tif 000016